(57)【要約】【課題】  アノテーションの利便性を向上させた情報処理装置、情報処理方法及び情報処理プログラムを提供する。【解決手段】  ユーザが入力部１４から所望のアノテーションの表示位置を固定する指示を入力し、カーソルを移動すると、表示制御部１２が、指定されたアノテーションの上に固定表示を表示し、アノテーションを固定する。次に、ユーザが入力部１４から所望のアノテーションの位置固定操作を解除する指示を入力し、カーソルを移動またはマウスをクリックすると、表示制御部１２が、指定されたアノテーションの上に表示された固定表示を消去するか、アノテーション上から他の位置に移動させて、アノテーションの位置固定を解除する。【選択図】        図１
2006209496.tif 000002
【特許請求の範囲】
【請求項１】
文書データと、文書データに付加されるアノテーションとを表示する表示手段と、
前記アノテーションの表示形態を制御する表示制御手段と、
を備え、前記表示制御手段は、前記アノテーションの表示位置が固定されているときに、この旨を示す固定表示を前記表示手段に表示させることを特徴とする情報処理装置。
【請求項２】
請求項１記載の情報処理装置において、前記固定表示は前記アノテーションの全部または一部の上に重畳表示される透明なテープの形状であることを特徴とする情報処理装置。
【請求項３】
請求項２記載の情報処理装置において、前記固定表示は、着色されていることを特徴とする情報処理装置。
【請求項４】
文書データと、文書データに付加されるアノテーションとを表示するステップと、
前記アノテーションの表示形態を制御するステップと、
前記アノテーションの表示位置が固定されているときに、この旨を示す固定表示を表示させるステップと、
を備えることを特徴とする情報処理方法。
【請求項５】
文書データと、文書データに付加されるアノテーションとを表示し、
前記アノテーションの表示形態を制御し、
前記アノテーションの表示位置が固定されているときに、この旨を示す固定表示を表示させる処理をコンピュータに実行させることを特徴とする情報処理プログラム。
【発明の詳細な説明】
【技術分野】
【０００１】
本発明は、文書データ及び文書データに付加されるアノテーションを管理する情報処理装置、情報処理方法及び情報処理プログラムの改良に関する。
【背景技術】
【０００２】
従来より、文書や画像などを紙に出力することなくコンピュータ上で管理する情報処理装置が実用化されている。このような情報処理装置においては、管理対象である文書データをコンピュータの記録媒体に保管し、その文書データにアノテーションすなわち注釈画像データを付加して表示させる機能が備えられている場合がある。
【０００３】
例えば、下記特許文献１には、文書画像データに付加するアノテーションに対し、よりきめ細かいアクセス権を容易に設定することができ、より用途に応じたアクセス権を有する文書画像データの管理を行うことができる情報処理装置が開示されている。
【０００４】
また、下記特許文献２には、コンピュータを利用した文書処理システム及び方法において、文書に付加するアノテーションに対してユーザ毎にアクセス権限を設定して、アクセス制御を行うとともに、アノテーションの編集履歴情報を自動的に記録して必要に応じアノテーションの編集履歴を一覧表示できる情報処理装置が開示されている。
【特許文献１】特開２０００−１８１８６８号公報
【特許文献２】特開２００２−２４５０３４号公報
【発明の開示】
【発明が解決しようとする課題】
【０００５】
しかし、上記従来の技術においては、アノテーションの表示位置を固定する等の操作をしても、その操作結果が表示されず、現在アノテーションがどのような状態かをユーザが容易に確認することができなかった。このため、アノテーションの利便性が必ずしも十分とはいえなかった。
【０００６】
本発明は、上記従来の課題に鑑みなされたものであり、その目的は、アノテーションの利便性を向上させた情報処理装置、情報処理方法及び情報処理プログラムを提供することにある。
【課題を解決するための手段】
【０００７】
上記目的を達成するために、本発明は、情報処理装置であって、文書データと、文書データに付加されるアノテーションとを表示する表示手段と、前記アノテーションの表示形態を制御する表示制御手段と、を備え、前記表示制御手段は、前記アノテーションの表示位置が固定されているときに、この旨を示す固定表示を前記表示手段に表示させることを特徴とする。
【０００８】
また、上記固定表示は前記アノテーションの全部または一部の上に重畳表示される透明なテープの形状であるのが好適であり、また、着色されているのが好適である。
【０００９】
また、本発明は、情報処理方法であって、文書データと、文書データに付加されるアノテーションとを表示するステップと、前記アノテーションの表示形態を制御するステップと、前記アノテーションの表示位置が固定されているときに、この旨を示す固定表示を表示させるステップと、を備えることを特徴とする。
【００１０】
また、本発明は、情報処理プログラムであって、文書データと、文書データに付加されるアノテーションとを表示し、前記アノテーションの表示形態を制御し、前記アノテーションの表示位置が固定されているときに、この旨を示す固定表示を表示させる処理をコンピュータに実行させることを特徴とする。
【発明を実施するための最良の形態】
【００１１】
以下、本発明を実施するための最良の形態（以下、実施形態という）を、図面に従って説明する。
【００１２】
図１には、本発明にかかる情報処理装置の構成のブロック図が示される。図１において、情報処理装置は、表示部１０、表示制御部１２、入力部１４及び記憶部１６を含んで構成されている。
【００１３】
表示部１０は、例えばＣＲＴ、液晶ディスプレイ等で構成され、文書データ及びアノテーションに含まれる文字データ、数値データ、各種図形、絵柄及び写真等を表示する。
【００１４】
表示制御部１２は、文書データ及びアノテーション等を表示部１０に表示する動作を制御し、特にアノテーションの形状、色、文字情報の有無等の表示形態を制御する。また、アノテーションの表示位置が固定されているときに、アノテーションが固定されている旨を示す固定表示を表示部１０に表示する動作を制御する。この固定表示の表示形態すなわち形状、色、透明度等も表示制御部１２が制御する。
【００１５】
入力部１４は、キーボード、マウス等の領域指定手段、スキャナ等を含み、ユーザが情報処理装置に各種データを入力するために使用する。なお、アノテーションの文書データへの付加、アノテーションの表示位置の固定及びその解除のための指示入力も入力部１４から行われる。
【００１６】
記憶部１６は、例えばＣＰＵの作業用のＲＡＭ、不揮発性メモリとしてのＥＥＰＲＯＭ、磁気記憶媒体等で構成されており、文書、アノテーション及び固定表示等に関するデータ及びプログラムが記憶される。
【００１７】
なお、上述した情報処理装置は、ＣＰＵを中心として構成されたコンピュータであってよく、この場合、ハードディスクその他の媒体に格納されたプログラムをＣＰＵが実行することで情報処理装置の各機能が実現される。
【００１８】
図２には、図１に示された表示部１０の表示画面の例が示される。図２において、表示画面１８には文書データ２０が表示されており、この文書データ２０上に文書の注釈画像データであるアノテーション２２が付加されている。ここで、入力部１４からアノテーション２２の位置の固定を指示すると、アノテーション２２が固定されている旨を示す固定表示２４がアノテーション２２上に重畳表示される。これにより、ユーザは、アノテーション２２の位置を固定する操作が入力部１４から行われていることを容易に確認することができる。
【００１９】
上記固定表示２４は、例えば粘着テープの形状で表示するのが好適である。これにより、現実世界でなじみのある粘着テープで貼り付けるという操作となり、ユーザにとって直感的に理解しやすく使いやすいアノテーション２２の操作を実現できる。
【００２０】
また、上記固定表示２４は、透明とするのが好適である。これにより、固定表示２４によりアノテーション２２の表示内容が隠されることを防止でき、ユーザがアノテーション２２の表示を見ることができる。
【００２１】
さらに、上記固定表示２４は、着色されていてもよい。これにより、どこに固定表示２４があるかをユーザが容易に知ることができる。
【００２２】
以上に述べた固定表示２４は、アノテーション２２上の一部に乗っているように表示されても、全部に乗っているように表示されてもよい。本実施形態では、アノテーション２２の位置固定操作が解除されない限り固定表示２４の表示の移動、削除ができない。なお、アノテーション２２の位置固定操作の解除も入力部１４からの指示入力により行う。
【００２３】
図３には、本実施形態における情報処理装置において、アノテーション２２の表示位置を固定し及び固定を解除する動作の例のフロー図が示される。
【００２４】
図３において、ユーザがキーボード、マウス等で構成される入力部１４から所望のアノテーション２２の表示位置を固定する指示を入力すると（Ｓ１）、表示制御部１２が、表示部１０の表示画面１８に表示されているカーソルの形状を変更する（Ｓ２）。このカーソルの形状の変更は、例えば矩形の点滅から矢印への変更等とすることができる。
【００２５】
次に、ユーザは、入力部１４から変形後のカーソルを移動する指示を入力する（Ｓ３）。この移動指示は、例えば入力部１４のマウスをドラッグする等により行うことができる。このような、カーソルの移動指示に基づき、表示制御部１２は、固定表示２４を指定されたアノテーション２２の上に表示する（Ｓ４）。また、所望のアノテーション２２の表示位置が固定されているとの情報は、記憶部１６に記憶される。
【００２６】
固定表示２４が、例えば粘着テープの形状である場合には、カーソルの移動に応じてアノテーション２２上に粘着テープが貼り付けられるように表示するのが好適である。これにより、アノテーション２２の表示位置を固定していることを、ユーザに直感的に理解しやすく示すことができる。
【００２７】
以上の動作により、アノテーション２２の表示位置が固定され、且つその旨が固定表示２４により示される。
【００２８】
次に、ユーザが入力部１４から所望のアノテーション２２の位置固定操作を解除する指示を入力すると（Ｓ５）、表示制御部１２が、表示部１０の表示画面１８に表示されているカーソルの形状を変更する（Ｓ６）。このカーソルの形状の変更も、Ｓ２と同様にすることができる。
【００２９】
次に、ユーザは、入力部１４から変形後のカーソルを固定表示２４上で移動する指示を入力する（Ｓ７）。なお、カーソルの移動の代わりに、カーソルを固定表示２４上に位置させマウスをクリックする、あるいはクリックしたままカーソルを移動させる（ドラッグ）等の操作とすることも好適である。
【００３０】
このような、カーソルの移動指示またはマウスのクリックに基づき、表示制御部１２は、指定されたアノテーション２２の上に表示された固定表示２４を消去するか、アノテーション２２上から他の位置に移動するように表示部１０の表示を制御する。（Ｓ８）。また、所望のアノテーション２２の表示位置の固定が解除されたとの情報も、記憶部１６に記憶される。
【００３１】
以上により、アノテーション２２の表示位置の固定及びその解除の動作が実行される。
【００３２】
図４には、本実施形態における情報処理装置において、アノテーション２２の表示位置を移動する動作の例のフロー図が示される。図４において、ユーザが入力部１４から所望のアノテーション２２の表示位置を移動する指示を入力すると（Ｓ１１）、表示制御部１２が、固定表示２４がアノテーション２２上に表示されているか否かを判断する（Ｓ１２）。固定表示２４が無い場合には、表示制御部１２が指定されたアノテーション２２の表示位置を移動する処理を実行する（Ｓ１３）。移動する量（距離）は、例えば入力部１４のマウスをドラッグする長さに応じて決定される。
【００３３】
また、Ｓ１２において、固定表示２４が有る場合には、表示制御部１２が指定されたアノテーション２２の表示位置を移動する処理を実行しない（Ｓ１４）。
【００３４】
以上により、アノテーション２２上に固定表示２４がない場合には、アノテーション２２の表示位置を移動できるが、固定表示２４が有る場合には、アノテーション２２の表示位置を移動できないように構成できる。このとき、ユーザは、表示部１０の表示画面１８に固定表示２４が有るか否かにより、アノテーション２２の移動の可否を容易に知ることができ、情報処理装置の利便性を向上できる。
【図面の簡単な説明】
【００３５】
【図１】本発明にかかる情報処理装置の構成のブロック図である。
【図２】図１に示された表示部の表示画面の例を示す図である。
【図３】本実施形態における情報処理装置において、アノテーションの表示位置を固定する動作の例のフロー図である。
【図４】本実施形態における情報処理装置において、アノテーションの表示位置を移動する動作の例のフロー図である。
【符号の説明】
【００３６】
１０  表示部、１２  表示制御部、１４  入力部、１６  記憶部、１８  表示画面、２０  文書データ、２２  アノテーション、２４  固定表示。
【図１】
2006209496.tif 000003
【図２】
2006209496.tif 000004
【図３】
2006209496.tif 000005
【図４】
2006209496.tif 000006